(57)【特許請求の範囲】
【請求項１】
主幹ブレーカに接続された少なくとも１つの分岐ブレーカと、前記少なくとも１つの分岐ブレーカのいずれかから供給された電力を消費する少なくとも１つの電気機器と、を備える電力消費システムにより消費された電力を算出する電力算出システムであって、
前記少なくとも１つの分岐ブレーカのうち、少なくとも１つの特定の分岐ブレーカに流れる電流に基づいて、前記少なくとも１つの特定の分岐ブレーカを経由して消費された電力を計測する第１電力計測手段と、
前記少なくとも１つの電気機器のうち、少なくとも１つの特定の電気機器の内部を流れる電流に基づいて、前記少なくとも１つの特定の電気機器により消費された電力を計測する第２電力計測手段と、
前記第１電力計測手段により計測された電力を示す情報と、前記第２電力計測手段により計測された電力を示す情報と、を示す画面を表示する画面表示手段と、
ユーザから、前記画面表示手段により表示された画面により示される情報のうち、重複して計測された電力を示す情報を指定する重複電力指定情報を受け付ける重複電力指定情報受付手段と、
前記第１電力計測手段により計測された電力と、前記第２電力計測手段により計測された電力と、前記重複電力指定情報受付手段により受け付けられた重複電力指定情報と、に基づいて、前記電力消費システムにより消費された電力を算出する電力算出手段と、を備える、
電力算出システム。
【請求項２】
前記画面表示手段は、前記重複して計測された電力が除外された態様で、前記第１電力計測手段により計測された電力を示す情報と、前記第２電力計測手段により計測された電力を示す情報と、を示す画面を表示する、
請求項１に記載の電力算出システム。
【請求項３】
主幹ブレーカに接続された少なくとも１つの分岐ブレーカと、前記少なくとも１つの分岐ブレーカのいずれかから供給された電力を消費する少なくとも１つの電気機器と、を備える電力消費システムにより消費された電力を算出する電力算出システムであって、
前記少なくとも１つの分岐ブレーカのうち、少なくとも１つの特定の分岐ブレーカに流れる電流に基づいて、前記少なくとも１つの特定の分岐ブレーカを経由して消費された電力を計測する第１電力計測手段と、
前記少なくとも１つの電気機器のうち、少なくとも１つの特定の電気機器の内部を流れる電流に基づいて、前記少なくとも１つの特定の電気機器により消費された電力を計測する第２電力計測手段と、
前記少なくとも１つの分岐ブレーカと、前記少なくとも１つの電気機器と、の接続関係を示す接続関係情報の入力を受け付ける接続関係情報受付手段と、
前記第１電力計測手段により計測された電力と、前記第２電力計測手段により計測された電力と、前記接続関係情報受付手段により受け付けられた接続関係情報から特定される、前記第１電力計測手段と前記第２電力計測手段とで重複して計測された電力と、に基づいて、前記電力消費システムにより消費された電力を算出する電力算出手段と、を備える、
電力算出システム。
【請求項４】
主幹ブレーカに接続された少なくとも１つの分岐ブレーカと、前記少なくとも１つの分岐ブレーカのいずれかから供給された電力を消費する少なくとも１つの電気機器と、を備える電力消費システムにより消費された電力を算出する電力算出システムであって、
前記少なくとも１つの分岐ブレーカのうち、少なくとも１つの特定の分岐ブレーカに流れる電流に基づいて、前記少なくとも１つの特定の分岐ブレーカを経由して消費された電力を計測する第１電力計測手段と、
前記少なくとも１つの電気機器のうち、少なくとも１つの特定の電気機器の内部を流れる電流に基づいて、前記少なくとも１つの特定の電気機器により消費された電力を計測する第２電力計測手段と、
前記第１電力計測手段により計測された電力と、前記第２電力計測手段により計測された電力と、に基づいて、前記少なくとも１つの分岐ブレーカと、前記少なくとも１つの電気機器と、の接続関係を示す接続関係情報を生成する接続関係情報生成手段と、
前記第１電力計測手段により計測された電力と、前記第２電力計測手段により計測された電力と、前記接続関係情報生成手段により生成された接続関係情報から特定される、前記第１電力計測手段と前記第２電力計測手段とで重複して計測された電力と、に基づいて、前記電力消費システムにより消費された電力を算出する電力算出手段と、を備える、
電力算出システム。
【請求項５】
主幹ブレーカに接続された少なくとも１つの分岐ブレーカと、前記少なくとも１つの分岐ブレーカのいずれかから供給された電力を消費する少なくとも１つの電気機器と、を備える電力消費システムにより消費された電力を算出する電力算出装置であって、
前記少なくとも１つの分岐ブレーカのうち、少なくとも１つの特定の分岐ブレーカに流れる電流に基づいて、前記少なくとも１つの特定の分岐ブレーカを経由して消費された電力を計測する第１電力計測手段により計測された電力を示す情報と、前記少なくとも１つの電気機器のうち、少なくとも１つの特定の電気機器の内部を流れる電流に基づいて、前記少なくとも１つの特定の電気機器により消費された電力を計測する第２電力計測手段により計測された電力を示す情報と、を示す画面を表示する画面表示手段と、
ユーザから、前記画面表示手段により表示された画面により示される情報のうち、重複して計測された電力を示す情報を指定する重複電力指定情報を受け付ける重複電力指定情報受付手段と、
前記第１電力計測手段により計測された電力と、前記第２電力計測手段により計測された電力と、前記重複電力指定情報受付手段により受け付けられた重複電力指定情報と、に基づいて、前記電力消費システムにより消費された電力を算出する電力算出手段と、を備える、
電力算出装置。
【請求項６】
主幹ブレーカに接続された少なくとも１つの分岐ブレーカと、前記少なくとも１つの分岐ブレーカのいずれかから供給された電力を消費する少なくとも１つの電気機器と、を備える電力消費システムにより消費された電力を算出する電力算出装置であって、
前記少なくとも１つの分岐ブレーカと、前記少なくとも１つの電気機器と、の接続関係を示す接続関係情報の入力を受け付ける接続関係情報受付手段と、
前記少なくとも１つの分岐ブレーカのうち、少なくとも１つの特定の分岐ブレーカに流れる電流に基づいて、前記少なくとも１つの特定の分岐ブレーカを経由して消費された電力を計測する第１電力計測手段により計測された電力と、前記少なくとも１つの電気機器のうち、少なくとも１つの特定の電気機器の内部を流れる電流に基づいて、前記少なくとも１つの特定の電気機器により消費された電力を計測する第２電力計測手段により計測された電力と、前記接続関係情報受付手段により受け付けられた接続関係情報から特定される、前記第１電力計測手段と前記第２電力計測手段とで重複して計測された電力と、に基づいて、前記電力消費システムにより消費された電力を算出する電力算出手段と、を備える、
電力算出装置。
【請求項７】
主幹ブレーカに接続された少なくとも１つの分岐ブレーカと、前記少なくとも１つの分岐ブレーカのいずれかから供給された電力を消費する少なくとも１つの電気機器と、を備える電力消費システムにより消費された電力を算出する電力算出装置であって、
前記少なくとも１つの分岐ブレーカのうち、少なくとも１つの特定の分岐ブレーカに流れる電流に基づいて、前記少なくとも１つの特定の分岐ブレーカを経由して消費された電力を計測する第１電力計測手段により計測された電力と、前記少なくとも１つの電気機器のうち、少なくとも１つの特定の電気機器の内部を流れる電流に基づいて、前記少なくとも１つの特定の電気機器により消費された電力を計測する第２電力計測手段により計測された電力と、に基づいて、前記少なくとも１つの分岐ブレーカと、前記少なくとも１つの電気機器と、の接続関係を示す接続関係情報を生成する接続関係情報生成手段と、
前記第１電力計測手段により計測された電力と、前記第２電力計測手段により計測された電力と、前記接続関係情報生成手段により生成された接続関係情報から特定される、前記第１電力計測手段と前記第２電力計測手段とで重複して計測された電力と、に基づいて、前記電力消費システムにより消費された電力を算出する電力算出手段と、を備える、
電力算出装置。
【請求項８】
主幹ブレーカに接続された少なくとも１つの分岐ブレーカと、前記少なくとも１つの分岐ブレーカのいずれかから供給された電力を消費する少なくとも１つの電気機器と、を備える電力消費システムにより消費された電力を算出する電力算出方法であって、
前記少なくとも１つの分岐ブレーカのうち、少なくとも１つの特定の分岐ブレーカに流れる電流に基づいて、前記少なくとも１つの特定の分岐ブレーカを経由して消費された電力を計測する第１電力計測ステップと、
前記少なくとも１つの電気機器のうち、少なくとも１つの特定の電気機器の内部を流れる電流に基づいて、前記少なくとも１つの特定の電気機器により消費された電力を計測する第２電力計測ステップと、
前記第１電力計測ステップで計測された電力を示す情報と、前記第２電力計測ステップで計測された電力を示す情報と、を示す画面を表示する画面表示ステップと、
ユーザから、前記画面表示ステップで表示された画面により示される情報のうち、重複して計測された電力を示す情報を指定する重複電力指定情報を受け付ける重複電力指定情報受付ステップと、
前記第１電力計測ステップで計測された電力と、前記第２電力計測ステップで計測された電力と、前記重複電力指定情報受付ステップで受け付けられた重複電力指定情報と、に基づいて、前記電力消費システムにより消費された電力を算出する電力算出ステップと、を備える、
電力算出方法。
【請求項９】
主幹ブレーカに接続された少なくとも１つの分岐ブレーカと、前記少なくとも１つの分岐ブレーカのいずれかから供給された電力を消費する少なくとも１つの電気機器と、を備える電力消費システムにより消費された電力を算出する電力算出方法であって、
前記少なくとも１つの分岐ブレーカのうち、少なくとも１つの特定の分岐ブレーカに流れる電流に基づいて、前記少なくとも１つの特定の分岐ブレーカを経由して消費された電力を計測する第１電力計測ステップと、
前記少なくとも１つの電気機器のうち、少なくとも１つの特定の電気機器の内部を流れる電流に基づいて、前記少なくとも１つの特定の電気機器により消費された電力を計測する第２電力計測ステップと、
前記少なくとも１つの分岐ブレーカと、前記少なくとも１つの電気機器と、の接続関係を示す接続関係情報の入力を受け付ける接続関係情報受付ステップと、
前記第１電力計測ステップで計測された電力と、前記第２電力計測ステップで計測された電力と、前記接続関係情報受付ステップで受け付けられた接続関係情報から特定される、前記第１電力計測ステップと前記第２電力計測ステップとで重複して計測された電力と、に基づいて、前記電力消費システムにより消費された電力を算出する電力算出ステップと、を備える、
電力算出方法。
【請求項１０】
主幹ブレーカに接続された少なくとも１つの分岐ブレーカと、前記少なくとも１つの分岐ブレーカのいずれかから供給された電力を消費する少なくとも１つの電気機器と、を備える電力消費システムにより消費された電力を算出する電力算出方法であって、
前記少なくとも１つの分岐ブレーカのうち、少なくとも１つの特定の分岐ブレーカに流れる電流に基づいて、前記少なくとも１つの特定の分岐ブレーカを経由して消費された電力を計測する第１電力計測ステップと、
前記少なくとも１つの電気機器のうち、少なくとも１つの特定の電気機器の内部を流れる電流に基づいて、前記少なくとも１つの特定の電気機器により消費された電力を計測する第２電力計測ステップと、
前記第１電力計測ステップで計測された電力と、前記第２電力計測ステップで計測された電力と、に基づいて、前記少なくとも１つの分岐ブレーカと、前記少なくとも１つの電気機器と、の接続関係を示す接続関係情報を生成する接続関係情報生成ステップと、
前記第１電力計測ステップで計測された電力と、前記第２電力計測ステップで計測された電力と、前記接続関係情報生成ステップで生成された接続関係情報から特定される、前記第１電力計測ステップと前記第２電力計測ステップとで重複して計測された電力と、に基づいて、前記電力消費システムにより消費された電力を算出する電力算出ステップと、を備える、
電力算出方法。
【請求項１１】
主幹ブレーカに接続された少なくとも１つの分岐ブレーカと、前記少なくとも１つの分岐ブレーカのいずれかから供給された電力を消費する少なくとも１つの電気機器と、を備える電力消費システムにより消費された電力を算出する電力算出装置が備えるコンピュータを、
前記少なくとも１つの分岐ブレーカのうち、少なくとも１つの特定の分岐ブレーカに流れる電流に基づいて、前記少なくとも１つの特定の分岐ブレーカを経由して消費された電力を計測する第１電力計測手段により計測された電力を示す情報と、前記少なくとも１つの電気機器のうち、少なくとも１つの特定の電気機器の内部を流れる電流に基づいて、前記少なくとも１つの特定の電気機器により消費された電力を計測する第２電力計測手段により計測された電力を示す情報と、を示す画面を表示する画面表示手段、
ユーザから、前記画面表示手段により表示された画面により示される情報のうち、重複して計測された電力を示す情報を指定する重複電力指定情報を受け付ける重複電力指定情報受付手段、
前記第１電力計測手段により計測された電力と、前記第２電力計測手段により計測された電力と、前記重複電力指定情報受付手段により受け付けられた重複電力指定情報と、に基づいて、前記電力消費システムにより消費された電力を算出する電力算出手段、として機能させる、
プログラム。
【請求項１２】
主幹ブレーカに接続された少なくとも１つの分岐ブレーカと、前記少なくとも１つの分岐ブレーカのいずれかから供給された電力を消費する少なくとも１つの電気機器と、を備える電力消費システムにより消費された電力を算出する電力算出装置が備えるコンピュータを、
前記少なくとも１つの分岐ブレーカと、前記少なくとも１つの電気機器と、の接続関係を示す接続関係情報の入力を受け付ける接続関係情報受付手段、
前記少なくとも１つの分岐ブレーカのうち、少なくとも１つの特定の分岐ブレーカに流れる電流に基づいて、前記少なくとも１つの特定の分岐ブレーカを経由して消費された電力を計測する第１電力計測手段により計測された電力と、前記少なくとも１つの電気機器のうち、少なくとも１つの特定の電気機器の内部を流れる電流に基づいて、前記少なくとも１つの特定の電気機器により消費された電力を計測する第２電力計測手段により計測された電力と、前記接続関係情報受付手段により受け付けられた接続関係情報から特定される、前記第１電力計測手段と前記第２電力計測手段とで重複して計測された電力と、に基づいて、前記電力消費システムにより消費された電力を算出する電力算出手段、として機能させる、
プログラム。
【請求項１３】
主幹ブレーカに接続された少なくとも１つの分岐ブレーカと、前記少なくとも１つの分岐ブレーカのいずれかから供給された電力を消費する少なくとも１つの電気機器と、を備える電力消費システムにより消費された電力を算出する電力算出装置が備えるコンピュータを、
前記少なくとも１つの分岐ブレーカのうち、少なくとも１つの特定の分岐ブレーカに流れる電流に基づいて、前記少なくとも１つの特定の分岐ブレーカを経由して消費された電力を計測する第１電力計測手段により計測された電力と、前記少なくとも１つの電気機器のうち、少なくとも１つの特定の電気機器の内部を流れる電流に基づいて、前記少なくとも１つの特定の電気機器により消費された電力を計測する第２電力計測手段により計測された電力と、に基づいて、前記少なくとも１つの分岐ブレーカと、前記少なくとも１つの電気機器と、の接続関係を示す接続関係情報を生成する接続関係情報生成手段、
前記第１電力計測手段により計測された電力と、前記第２電力計測手段により計測された電力と、前記接続関係情報生成手段により生成された接続関係情報から特定される、前記第１電力計測手段と前記第２電力計測手段とで重複して計測された電力と、に基づいて、前記電力消費システムにより消費された電力を算出する電力算出手段、として機能させる、
プログラム。
【発明の詳細な説明】
【技術分野】
【０００１】
本発明は、分岐ブレーカから供給された電力を消費する電気機器を備える電力消費システムにより消費される電力を算出する電力算出システム、電力算出装置、電力算出方法、及び、プログラムに関する。
【背景技術】
【０００２】
現在、分岐ブレーカから供給された電力を消費する電気機器を備える電力消費システムにより消費される電力を算出する種々の技術が知られている。例えば、分岐ブレーカに設置された電力メータを用いて、この分岐ブレーカにコンセントを介して接続された電気機器により消費される電力を算出する技術が知られている。このような技術においては、分岐ブレーカとコンセントと電気機器との対応関係を特定することが重要である。現在、このような対応関係を特定するための種々の技術が知られている。
【０００３】
例えば、特許文献１には、配線端末設定装置が自装置に接続されたコンセントの配線に高周波電流を発生させることにより、分岐ブレーカとコンセントとの対応関係を特定する配線端末設定システムが開示されている。
【先行技術文献】
【特許文献】
【０００４】
【特許文献１】特開２０１１−３８９７８号公報
【発明の概要】
【発明が解決しようとする課題】
【０００５】
ここで、現在、普及している電気機器の中には、自装置が消費する電力を計測する電力計測機能を有するものが存在する。しかしながら、分岐ブレーカに設置された電力メータにより計測された電力と、電力計測機能を有する電気機器により計測された電力との双方を用いて、電力消費システムにおいて消費された電力を適切に算出する技術は知られていない。このため、分岐ブレーカに流れる電流に基づいて計測された電力と、電気機器内に流れる電流に基づいて計測された電力と、に基づいて、電気機器を備える電力消費システムにより消費された電力を適切に算出することが可能な技術が望まれている。
【０００６】
本発明は、上記問題に鑑みてなされたものであり、分岐ブレーカに流れる電流に基づいて計測された電力と、電気機器内に流れる電流に基づいて計測された電力と、に基づいて、電気機器を備える電力消費システムにより消費される電力を適切に算出するのに好適な電力算出システム、電力算出装置、電力算出方法、及び、プログラムを提供することを目的とする。
【課題を解決するための手段】
【０００７】
上記目的を達成するために、本発明に係る電力算出システムは、
主幹ブレーカに接続された少なくとも１つの分岐ブレーカと、前記少なくとも１つの分岐ブレーカのいずれかから供給された電力を消費する少なくとも１つの電気機器と、を備える電力消費システムにより消費された電力を算出する電力算出システムであって、
前記少なくとも１つの分岐ブレーカのうち、少なくとも１つの特定の分岐ブレーカに流れる電流に基づいて、前記少なくとも１つの特定の分岐ブレーカを経由して消費された電力を計測する第１電力計測手段と、
前記少なくとも１つの電気機器のうち、少なくとも１つの特定の電気機器の内部を流れる電流に基づいて、前記少なくとも１つの特定の電気機器により消費された電力を計測する第２電力計測手段と、
前記第１電力計測手段により計測された電力を示す情報と、前記第２電力計測手段により計測された電力を示す情報と、を示す画面を表示する画面表示手段と、
ユーザから、前記画面表示手段により表示された画面により示される情報のうち、重複して計測された電力を示す情報を指定する重複電力指定情報を受け付ける重複電力指定情報受付手段と、
前記第１電力計測手段により計測された電力と、前記第２電力計測手段により計測された電力と、前記重複電力指定情報受付手段により受け付けられた重複電力指定情報と、に基づいて、前記電力消費システムにより消費された電力を算出する電力算出手段と、を備える。
【発明の効果】
【０００８】
本発明によれば、分岐ブレーカに流れる電流に基づいて計測された電力と、電気機器の内部を流れる電流に基づいて計測された電力と、重複して計測された電力と、に基づいて、電力消費システムにより消費された電力が算出される。従って、本発明によれば、電力消費システムにより消費される電力を適切に算出することができる。
【図面の簡単な説明】
【０００９】
【図１】本発明の第１の実施形態に係る電力算出システム及び電力消費システムの構成図である。
【図２】本発明の第１の実施形態に係る電力算出装置の構成図である。
【図３】本発明の第１の実施形態に係る電力算出装置の機能を説明するための図である。
【図４】（Ａ）は、重複電力除外前の消費電力量を示す図である。（Ｂ）は、重複電力除外後の消費電力量を示す図である。
【図５】本発明の第１の実施形態に係る電力算出装置が実行する電力算出処理を示すフローチャートである。
【図６】消費電力量情報を示す図である。
【図７】本発明の第２の実施形態に係る電力算出装置の機能を説明するための図である。
【図８】接続関係情報を示す図である。
【図９】本発明の第２の実施形態に係る電力算出装置が実行する電力算出処理を示すフローチャートである。
【図１０】本発明の第３の実施形態に係る電力算出装置の機能を説明するための図である。
【図１１】本発明の第３の実施形態に係る電力算出装置が実行する電力算出処理を示すフローチャートである。
【発明を実施するための形態】
【００１０】
以下、本発明の実施形態を、図面を参照して説明する。
【００１１】
（第１の実施形態）
まず、本発明の第１の実施形態に係る電力算出システム１０００及び電力消費システム１１００について説明する。電力算出システム１０００は、電力消費システム１１００により消費される電力を算出する。まず、電力消費システム１１００について説明する。
【００１２】
図１に示すように、電力消費システム１１００は、電気機器３０１と、電気機器３０２と、電気機器３０３と、電気機器３０４と、主幹ブレーカ４００と、分岐ブレーカ４１１と、分岐ブレーカ４１２と、分岐ブレーカ４１３と、電力計測装置５００と、を備える。
【００１３】
電気機器３０１は、分岐ブレーカ４１１から供給される電力を消費して動作する。電気機器３０１は、図示しないコンセントを介して、分岐ブレーカ４１１と接続される。電気機器３０１は、電力計測装置３１１を備える。電力計測装置３１１は、電気機器３０１の内部を流れる電流などを計測して、電気機器３０１が消費した電力を計測する。また、電力計測装置３１１は、計測した電力を積算して電力量を算出する。電気機器３０１は、宅内電気通信網６００に接続するためのインターフェースを備える。このインターフェースは、例えば、ＮＩＣ（Network Interface Card）などのＬＡＮ（Local Area Network）インターフェースである。電気機器３０１は、宅内電気通信網６００を介して、電力算出装置１００と通信することができる。本実施形態では、電気機器３０１は、エアコンであるものとして説明する。
【００１４】
電気機器３０２は、分岐ブレーカ４１２から供給される電力を消費して動作する。電気機器３０２は、図示しないコンセントを介して、分岐ブレーカ４１２と接続される。電気機器３０２は、電力計測装置３１２を備える。電力計測装置３１２は、電気機器３０２の内部を流れる電流を計測して、電気機器３０２が消費した電力を計測する。また、電力計測装置３１２は、計測した電力を積算して電力量を算出する。電気機器３０２は、宅内電気通信網６００に接続するためのインターフェースを備える。電気機器３０２は、宅内電気通信網６００を介して、電力算出装置１００と通信することができる。本実施形態では、電気機器３０２は、テレビであるものとして説明する。
【００１５】
電気機器３０３は、分岐ブレーカ４１３から供給される電力を消費して動作する。電気機器３０３は、図示しないコンセントを介して、分岐ブレーカ４１３と接続される。電気機器３０３は、電力計測装置３１３を備える。電力計測装置３１３は、電気機器３０３の内部を流れる電流を計測して、電気機器３０３が消費した電力を計測する。また、電力計測装置３１３は、計測した電力を積算して電力量を算出する。電気機器３０３は、宅内電気通信網６００に接続するためのインターフェースを備える。電気機器３０３は、宅内電気通信網６００を介して、電力算出装置１００と通信することができる。本実施形態では、電気機器３０３は、冷蔵庫であるものとして説明する。
【００１６】
電気機器３０４は、分岐ブレーカ４１３から供給される電力を消費して動作する。電気機器３０４は、図示しないコンセントを介して、分岐ブレーカ４１３と接続される。電気機器３０４は、電気機器３０４が消費した電力を計測する機能を有さないものとする。また、電気機器３０４は、宅内電気通信網６００に接続する機能を有さないものとする。本実施形態では、電気機器３０３は、電子レンジであるものとして説明する。
【００１７】
以下、適宜、電気機器３０１、電気機器３０２、電気機器３０３、電気機器３０４を総称して、電気機器３００という。電気機器３００は、上述した例に限定されず、ブロードバンドルータ、エアコン、給湯器、電気ストーブ、炊飯器、照明装置、電気カーペットなどどのようなものであってもよい。
【００１８】
主幹ブレーカ４００は、電力会社などから供給された電力（交流電力）を、分岐ブレーカ４１１、分岐ブレーカ４１２、分岐ブレーカ４１３に分配する。主幹ブレーカ４００は、例えば、２本の電線（Ｌ１相の電線とＮ相の電線、もしくは、Ｌ２相の電線とＮ相の電線）により、分岐ブレーカ４１１、分岐ブレーカ４１２、分岐ブレーカ４１３のそれぞれと接続される。
【００１９】
分岐ブレーカ４１１は、主幹ブレーカ４００から供給された電力を、電気機器３０１に供給する。従って、分岐ブレーカ４１１は、２本の電線により、主幹ブレーカ４００と接続される。また、分岐ブレーカ４１１は、２本の電線により、電気機器３０１と接続される。
【００２０】
分岐ブレーカ４１２は、主幹ブレーカ４００から供給された電力を、電気機器３０２に供給する。従って、分岐ブレーカ４１２は、２本の電線により、主幹ブレーカ４００と接続される。また、分岐ブレーカ４１２は、２本の電線により、電気機器３０２と接続される。
【００２１】
分岐ブレーカ４１３は、主幹ブレーカ４００から供給された電力を、電気機器３０３と電気機器３０４とに供給する。従って、分岐ブレーカ４１３は、２本の電線により、主幹ブレーカ４００と接続される。また、分岐ブレーカ４１３は、２本の電線により、電気機器３０３と電気機器３０４とに接続される。
【００２２】
以下、適宜、分岐ブレーカ４１１、分岐ブレーカ４１２、分岐ブレーカ４１３を総称して、分岐ブレーカ４１０という。
【００２３】
電力計測装置５００は、主幹ブレーカ４００や分岐ブレーカ４１０を経由して消費された電力などを計測する。電力計測装置５００は、電流電圧検出部５０１、電流電圧検出部５１１、電流電圧検出部５１３を備える。
【００２４】
電流電圧検出部５０１は、主幹ブレーカ４００を流れる電流を検出する。つまり、電流電圧検出部５０１は、主幹ブレーカ４００から分岐ブレーカ４１１と分岐ブレーカ４１２と分岐ブレーカ４１３とに電流を供給する２本の電線のそれぞれに流れる電流を検出する。また、電流電圧検出部５０１は、主幹ブレーカ４００に印加される電圧を検出する。つまり、電流電圧検出部５０１は、上記２本の電線の間の電圧（電位差）を検出する。
【００２５】
電流電圧検出部５１１は、分岐ブレーカ４１１を流れる電流を検出する。つまり、電流電圧検出部５１１は、分岐ブレーカ４１１から電気機器３０１に電流を供給する２本の電線のそれぞれに流れる電流を検出する。また、電流電圧検出部５１１は、分岐ブレーカ４１１に印加される電圧を検出する。つまり、電流電圧検出部５１１は、上記２本の電線の間の電圧（電位差）を検出する。
【００２６】
電流電圧検出部５１３は、分岐ブレーカ４１３を流れる電流を検出する。つまり、電流電圧検出部５１３は、分岐ブレーカ４１３から電気機器３０３と電気機器３０４とに電流を供給する２本の電線のそれぞれに流れる電流を検出する。また、電流電圧検出部５１３は、分岐ブレーカ４１３に印加される電圧を検出する。つまり、電流電圧検出部５１３は、上記２本の電線の間の電圧（電位差）を検出する。
【００２７】
電力計測装置５００は、電流電圧検出部５０１から供給された電流値情報や電圧値情報に基づいて、主幹ブレーカ４００を経由して消費された電力や電力量などを算出する。また、電力計測装置５００は、電流電圧検出部５１１から供給された電流値情報や電圧値情報に基づいて、分岐ブレーカ４１１を経由して消費された電力や電力量などを算出する。また、電力計測装置５００は、電流電圧検出部５１３から供給された電流値情報や電圧値情報に基づいて、分岐ブレーカ４１３を経由して消費された電力や電力量などを算出する。
【００２８】
また、電力計測装置５００は、宅内電気通信網６００に接続するためのインターフェースを備える。従って、電力計測装置５００は、宅内電気通信網６００を介して、電力算出装置１００と通信することができる。典型的には、電力計測装置５００は、宅内電気通信網６００を介して、電力情報や電力量情報を、電力算出装置１００に送信することができる。
【００２９】
次に、電力算出システム１０００について説明する。図１に示すように、電力算出システム１０００は、電力算出装置１００と、端末装置２００と、宅内電気通信網６００と、を備える。
【００３０】
電力算出装置１００は、電力計測装置５００により計測された電力や電力量と、電気機器３００により計測された電力や電力量と、に基づいて、電力消費システム１１００により消費された電力や電力量を算出する。電力算出装置１００は、宅内電気通信網６００に接続するためのインターフェースを備える。電力算出装置１００は、宅内電気通信網６００を介して、端末装置２００、電気機器３０１、電気機器３０２、電気機器３０３、電力計測装置５００などと通信することができる。
【００３１】
電力算出装置１００は、例えば、ユーザによる指示、端末装置２００からの指示、もしくは、自動プログラムに従って、電気機器３００や電力計測装置５００などを制御もしくはモニタリングすることができる。また、電力算出装置１００は、電気機器３００や電力計測装置５００などから、電力や電力量を示す情報（以下、適宜「電力情報」という。）を取得することができる。
【００３２】
電力算出装置１００は、電力消費システム１１００により消費される電力や電力量が所定の範囲に収まるようにピークカット制御する機能を有していてもよい。なお、電力算出装置１００によるピークカット制御の対象となるのは、電気機器３００である。ここで、電気機器３００には、電力計測機能を有するものと、電力計測機能を有さないものがある。電力算出装置１００は、電力計測機能を有する電気機器３００に関する電力情報を、直接、この電気機器３００から取得することができる。一方、電力算出装置１００は、電力計測機能を有さない電気機器３００に関する電力情報を、電力計測装置５００から取得することができる。
【００３３】
ただし、電力計測機能を有する電気機器３００と、電力計測装置５００との双方により、電力や電力量が計測される構成では、電力や電力量が重複して計測されることがある。そこで、電力算出装置１００は、重複して計測された電力や電力量を、適切に、除外して、ピークカット制御する。また、電力算出装置１００は、重複して計測された電力や電力量を、適切に、除外して、計測された電力や電力量をユーザに提示する。なお、重複して計測された電力や電力量を除外することは、重複して計測された電力や電力量の一方を、電力や電力量の合計値の算出から除外したり、電力や電力量の提示対象から除外したりすることを意味する。
【００３４】
端末装置２００は、電力算出装置１００のインターフェースとしての機能を有する。従って、端末装置２００は、宅内電気通信網６００に接続する機能を有し、宅内電気通信網６００を介して、電力算出装置１００と通信することができる。端末装置２００は、ユーザからの指示に従って、遠隔制御のための制御信号を、電力算出装置１００に送信することにより、電気機器３００や電力計測装置５００などを遠隔制御する。また、端末装置２００は、電力算出装置１００を介して、電気機器３００や電力計測装置５００など動作状態をモニタリングすることができる。端末装置２００は、例えば、スマートフォン、携帯電話、タブレット端末である。
【００３５】
宅内電気通信網６００は、宅内に構築された無線ＬＡＮなどの電気通信網である。宅内電気通信網６００は、電力算出装置１００と、端末装置２００と、電気機器３０１と、電気機器３０２と、電気機器３０３と、電力計測装置５００とを相互に接続する。宅内電気通信網６００は、基本的に、電力算出装置１００や端末装置２００から、電気機器３０１、電気機器３０２、電気機器３０３、電力計測装置５００などを制御もしくはモニタリングするための電気通信網である。
【００３６】
次に、図２を参照して、電力算出装置１００の物理的な構成について説明する。図２に示すように、電力算出装置１００は、ＣＰＵ（Central Processing Unit）１１、ＲＯＭ（Read Only Memory）１２、ＲＡＭ（Random Access Memory）１３、フラッシュメモリ１４、ＲＴＣ（Real Time Clock）１５、タッチスクリーン１６、宅内電気通信網インターフェース１７を備える。電力算出装置１００が備える各構成要素は、バスを介して相互に接続される。
【００３７】
ＣＰＵ１１は、電力算出装置１００の全体の動作を制御する。なお、ＣＰＵ１１は、ＲＯＭ１２に格納されているプログラムに従って動作し、ＲＡＭ１３をワークエリアとして使用する。
【００３８】
ＲＯＭ１２には、電力算出装置１００の全体の動作を制御するためのプログラムやデータが記憶される。
【００３９】
ＲＡＭ１３は、ＣＰＵ１１のワークエリアとして機能する。つまり、ＣＰＵ１１は、ＲＡＭ１３にプログラムやデータを一時的に書き込み、これらのプログラムやデータを適宜参照する。
【００４０】
フラッシュメモリ１４は、各種の情報を記憶する不揮発性メモリである。例えば、フラッシュメモリ１４は、接続関係情報（接続関係データベース）や消費電力量情報（消費電力量データベース）などを記憶する。なお、電力算出装置１００は、フラッシュメモリ１４に代えて、ハードディスクなどを備えていてもよい。また、電力算出装置１００は、宅内電気通信網６００に接続された端末装置２００や図示しない記憶装置に、これらの情報を記憶してもよい。
【００４１】
ＲＴＣ１５は、計時用のデバイスである。ＲＴＣ１５は、例えば、電池を内蔵し、電力算出装置１００の電源がオフの間も計時を継続する。ＲＴＣ１５は、例えば、水晶発振子を備える発振回路を備える。
【００４２】
タッチスクリーン１６は、ユーザによりなされたタッチ操作を検知し、検知の結果を示す信号をＣＰＵ１１に供給する。また、タッチスクリーン１６は、ＣＰＵ１１などから供給された画像信号に基づく画像を表示する。このように、タッチスクリーン１６は、電力算出装置１００のユーザインターフェースとして機能する。
【００４３】
宅内電気通信網インターフェース１７は、電力算出装置１００を宅内電気通信網６００に接続するためのインターフェースである。宅内電気通信網インターフェース１７は、例えば、ＮＩＣなどのＬＡＮインターフェースを備える。
【００４４】
なお、端末装置２００の物理的な構成として、図２に示す電力算出装置１００の物理的な構成と同様の構成を採用することができる。つまり、端末装置２００は、物理的には、ＣＰＵ１１、ＲＯＭ１２、ＲＡＭ１３、フラッシュメモリ１４、ＲＴＣ１５、タッチスクリーン１６、宅内電気通信網インターフェース１７と同様の構成を備えることができる。
【００４５】
次に、図３を参照して、電力算出装置１００の基本的な機能について説明する。電力算出装置１００は、機能的には、第１電力計測部１０１、第２電力計測部１０２、重複電力特定部１０３、電力算出部１０４、画面表示部１０５、重複電力指定情報受付部１０６を備える。
【００４６】
第１電力計測部１０１は、少なくとも１つの分岐ブレーカ４１１、４１２、４１３のうち、少なくとも１つの特定の分岐ブレーカ４１１、４１３に流れる電流に基づいて、少なくとも１つの特定の分岐ブレーカ４１１、４１３を経由して消費された電力を計測する。第１電力計測部１０１は、例えば、電流電圧検出部５１１、電流電圧検出部５１３、電力計測装置５００を備える。
【００４７】
第２電力計測部１０２は、少なくとも１つの電気機器３０１、３０２、３０３、３０４のうち、少なくとも１つの特定の電気機器３０１、３０２、３０３の内部を流れる電流に基づいて、少なくとも１つの特定の電気機器３０１、３０２、３０３により消費された電力を計測する。第２電力計測部１０２は、例えば、電力計測装置３１１、３１２、３１３を備える。
【００４８】
重複電力特定部１０３は、第１電力計測部１０１により計測された電力と、第２電力計測部１０２により計測された電力と、のうちで、重複して計測された電力を特定する。重複電力特定部１０３は、例えば、ＣＰＵ１１を備える。
【００４９】
電力算出部１０４は、第１電力計測部１０１により計測された電力と、第２電力計測部１０２により計測された電力と、重複電力特定部１０３により特定された電力と、に基づいて、電力消費システム１１００により消費された電力を算出する。
【００５０】
画面表示部１０５は、第１電力計測部１０１により計測された電力を示す情報と、第２電力計測部１０２により計測された電力を示す情報と、を示す画面を表示する。画面表示部１０５は、例えば、ＣＰＵ１１とタッチスクリーン１６とを備える。
【００５１】
重複電力指定情報受付部１０６は、ユーザから、画面表示部１０５により表示された画面により示される情報のうち、重複して計測された電力を示す情報を指定する重複電力指定情報を受け付ける。重複電力指定情報受付部１０６は、例えば、タッチスクリーン１６を備える。
【００５２】
ここで、重複電力特定部１０３は、重複電力指定情報受付部１０６により受け付けられた重複電力指定情報に基づいて、重複して計測された電力を特定することができる。重複電力特定部１０３は、例えば、ＣＰＵ１１を備える。
【００５３】
また、画面表示部１０５は、重複電力特定部１０３により特定された電力が除外された態様で、第１電力計測部１０１により計測された電力を示す情報と、第２電力計測部１０２により計測された電力を示す情報と、を示す画面を表示することができる。
【００５４】
次に、図４を参照して、電力消費システム１１００が備える各構成の消費電力量について説明する。なお、電力算出装置１００は、電気機器３００毎、もしくは、分岐ブレーカ４１０毎の消費電力や消費電力量を、電気機器３００や電力計測装置５００から取得することができる。
【００５５】
図４（Ａ）は、重複電力が除外される前の消費電力量と時間との関係を示す図である。図４（Ａ）では、理解を容易にするため、（ａ）電気機器３０１（電力計測装置３１１）が算出した電気機器３０１の消費電力量と、（ｂ）電気機器３０２（電力計測装置３１２）が算出した電気機器３０２の消費電力量と、（ｃ）電気機器３０３（電力計測装置３１３）が算出した電気機器３０３の消費電力量と、（ｄ）電力計測装置５００が算出した主幹ブレーカ４００を経由して消費された消費電力量と、（ｅ）電力計測装置５００が算出した分岐ブレーカ４１１を経由して消費された消費電力量と、（ｆ）電力計測装置５００が算出した分岐ブレーカ４１３を経由して消費された消費電力量と、のうち、（ａ）と（ｂ）と（ｅ）のみに注目した例を示している。
【００５６】
そして、図４（Ａ）は、（ａ）を細い実線と「電気機器３０１」という文字とにより示し、（ｂ）を細い破線と「分岐ブレーカ４１１」という文字とにより示し、（ｅ）を太い実線と「電気機器３０２」という文字とにより示している。初期状態、つまり、重複電力の除外前では、図４（Ａ）に示すように、（ａ）と（ｂ）と（ｅ）のそれぞれに対応するチェックボックスのいずれもがチェックされているものとする。この場合、（ａ）を示す細い実線と（ｂ）を示す細い破線と（ｅ）を示す太い実線のいずれもが画面に表示される。
【００５７】
ここで、（ａ）の細い実線と（ｂ）の細い破線とは、いずれも電気機器３０１により消費された消費電力量を示すため、近い値を示している。この場合、例えば、電力算出装置１００は、ユーザに、図４（Ａ）に示すような画面を提示することにより、（ａ）と（ｂ）とが重複して計測された消費電力量であることをユーザに知らせることができる。一方、ユーザは、重複して計測された消費電力量を示す（ａ）と（ｂ）とのうち、一方（例えば（ａ））を、消費電力量の合計値の算出や、消費電力量の個別表示の対象から除外するものとして、選択することができる。
【００５８】
図４（Ｂ）は、重複電力が除外された後の消費電力量と時間との関係を示す図である。図４（Ｂ）は、「電気機器３０１」という文字により示される（ａ）に対応するチェックボックスのチェックが外され、（ａ）の表示が画面から除外されている例を示している。なお、ユーザは、例えば、タッチスクリーン１６に対してタッチ操作することにより、チェックボックスのチェックを付したり外したりすることができる。なお、チェックを外された消費電力量は、少なくとも、重複して計測された消費電力量のうちの一方であることになる。このため、ユーザがチェックボックスのチェックを外すことは、電力算出装置１００が、上述した重複電力指定情報をユーザから受け付けることに相当する。
【００５９】
次に、図５に示すフローチャートを参照して、電力算出装置１００が実行する電力算出処理について説明する。なお、電力算出装置１００は、電源が投入されたことに応答して、図５に示す電力算出処理を開始する。
【００６０】
まず、ＣＰＵ１１は、電力計測の開始を指示する（ステップＳ１０１）。例えば、ＣＰＵ１１は、宅内電気通信網インターフェース１７を介して、電力計測開始指示信号を、電気機器３０１、電気機器３０２、電気機器３０３、電力計測装置５００のそれぞれに送信する。一方、電気機器３０１は、電力計測開始指示信号を受信したことに応答して、電力計測装置３１１に電力計測の開始を指示する。そして、電力計測装置３１１は、電気機器３０１の内部を流れる電流に基づく電力や電力量の計測を開始する。以降、電気機器３０１は、電力計測装置３１１により計測された電力や電力量を示す電力情報を、電力算出装置１００による指示に従って、もしくは、自動的に、電力算出装置１００に供給する。
【００６１】
同様に、電気機器３０２は、電力計測開始指示信号を受信したことに応答して、電力計測装置３１２に電力計測の開始を指示する。そして、電力計測装置３１２は、電気機器３０２の内部を流れる電流に基づく電力や電力量の計測を開始する。以降、電気機器３０２は、電力計測装置３１２により計測された電力や電力量を示す電力情報を、電力算出装置１００による指示に従って、もしくは、自動的に、電力算出装置１００に供給する。
【００６２】
また、電気機器３０３は、電力計測開始指示信号を受信したことに応答して、電力計測装置３１３に電力計測の開始を指示する。そして、電力計測装置３１３は、電気機器３０３の内部を流れる電流に基づく電力や電力量の計測を開始する。以降、電気機器３０３は、電力計測装置３１３により計測された電力や電力量を示す電力情報を、電力算出装置１００による指示に従って、もしくは、自動的に、電力算出装置１００に供給する。
【００６３】
さらに、電力計測装置５００は、電力計測開始指示信号を受信したことに応答して、電力や電力量の計測を開始する。以降、電力計測装置５００は、計測した電力や電力量を示す電力情報を、電力算出装置１００による指示に従って、もしくは、自動的に、電力算出装置１００に供給する。
【００６４】
ＣＰＵ１１は、ステップＳ１０１の処理を完了すると、電力情報を取得する（ステップＳ１０２）。具体的には、ＣＰＵ１１は、電気機器３０１、電気機器３０２、電気機器３０３、電力計測装置５００のそれぞれが、宅内電気通信網６００を介して宅内電気通信網インターフェース１７に送信した電力情報を取得する。
【００６５】
ＣＰＵ１１は、ステップＳ１０２の処理を完了すると、電力情報を保存する（ステップＳ１０３）。具体的には、ＣＰＵ１１は、取得した電力情報に基づく消費電力量情報（消費電力量データベース）を、フラッシュメモリ１４に記憶する。図６に、消費電力量情報を示す。本実施形態では、電力算出装置１００が、重複して計測された消費電力量を、画面表示や総消費電力量の算出から除外する例について説明する。なお、電力算出装置１００は、重複して計測された消費電力を、画面表示や総消費電力の算出から除外することもできる。
【００６６】
図６に示すように、消費電力量情報は、計測対象と、取得時刻（ｈｈ：ｍｍ：ｓｓ）と、消費電力量とを対応付ける。計測対象は、消費電力量の計測の対象となった機器を示す。取得時刻（ｈｈ：ｍｍ：ｓｓ）は、電力算出装置１００が消費電力量を取得した時刻を時分秒で示す。なお、ＣＰＵ１１は、ＲＴＣ１５を参照することにより、消費電力量を取得した時刻を取得することができる。消費電力量は、計測対象において計測された消費電力量である。
【００６７】
ＣＰＵ１１は、ステップＳ１０３の処理を完了すると、重複電力指定情報の入力があるか否かを判別する（ステップＳ１０４）。例えば、ＣＰＵ１１は、まず、図４（Ａ）に示すような画面を、タッチスクリーン１６に表示させる。そして、ＣＰＵ１１は、この画面におけるチェックボックスの除外操作がなされた場合、重複電力指定情報の入力があったと判別する。
【００６８】
ＣＰＵ１１は、重複電力指定情報の入力があると判別すると（ステップＳ１０４：ＹＥＳ）、重複電力指定情報に基づいて、除外すべき電力情報を特定する（ステップＳ１０５）。具体的には、ＣＰＵ１１は、上述した画面におけるチェックボックスのチェック状況に基づいて、除外すべき電力情報を特定する。なお、ＣＰＵ１１は、図４（Ｂ）に示す例では、チェックが外された「電気機器３０１」に関わる電力情報を、除外すべき電力情報として特定する。
【００６９】
ＣＰＵ１１は、重複電力指定情報の入力がないと判別した場合（ステップＳ１０４：ＮＯ）、又は、ステップＳ１０５の処理を完了した場合、除外すべき電力情報以外の電力情報を画面に表示する（ステップＳ１０６）。具体的には、ＣＰＵ１１は、図４（Ｂ）に示すように、チェックが外された「電気機器３０１」に関わる電力情報以外の電力情報を示す画面を、タッチスクリーン１６に表示させる。
【００７０】
ＣＰＵ１１は、ステップＳ１０６の処理を完了すると、除外すべき電力情報以外の電力情報を集計する（ステップＳ１０７）。例えば、ＣＰＵ１１は、チェックが外された「電気機器３０１」に関わる電力情報以外の電力情報により示される消費電力量を集計して、電力消費システム１１００により消費された消費電力量の合計値を算出する。
【００７１】
ＣＰＵ１１は、ステップＳ１０７の処理を完了すると、ステップＳ１０２に処理を戻す。
【００７２】
本実施形態によれば、重複して計測された電力や電力量が除外されて、電力消費システム１１００により消費された電力や電力量が算出される。このため、本実施形態によれば、電力消費システム１１００により消費された電力や電力量を適切に算出することができる。従って、例えば、電力算出装置１００が、電力消費システム１１００により消費される電力や電力量の合計が所定の範囲内に収まるように、電気機器３００を制御している場合（ピークカット制御している場合）、電力算出装置１００は、適切にピークカット制御を実行することができる。
【００７３】
また、本実施形態によれば、重複して計測された電力や電力量のうち、除外すべき電力や電力量が、ユーザにより指定される。このため、本実施形態によれば、電力算出システム１０００が、電気機器３００と分岐ブレーカ４１０との接続関係を把握していなくても、電力消費システム１１００により消費された電力や電力量を適切に算出することができる。
【００７４】
また、本実施形態によれば、重複して計測された電力や電力量が除外された態様で、計測された電力や電力量を示す情報を示す画面が表示される。このため、本実施形態によれば、計測された電力や電力量を示す情報を、分かり易く、誤解しにくい態様で、ユーザに提示することができる。
【００７５】
（第２の実施形態）
第１の実施形態では、ユーザにより指定された重複電力指定情報に基づいて、重複して計測された電力や電力量を特定する例について説明した。本発明において、重複して計測された電力や電力量を特定する手法は、この例に限定されない。以下、第２の実施形態では、分岐ブレーカ４１０と電気機器３００との接続関係に基づいて、重複して計測された電力や電力量を特定する例について説明する。なお、以下では、基本的に、第２の実施形態に係る電力算出装置１２０が第１の実施形態に係る電力算出装置１００と異なる部分について説明する。電力算出装置１２０は、物理的な構成に関しては、電力算出装置１００と同様である。
【００７６】
図７は、第２の実施形態に係る電力算出装置１２０の機能を説明するための図である。図７に示すように、電力算出装置１２０は、重複電力指定情報受付部１０６に代えて接続関係情報受付部１０７を備える点などが、電力算出装置１００と異なる。
【００７７】
接続関係情報受付部１０７は、少なくとも１つの分岐ブレーカ４１１、４１２、４１３と、少なくとも１つの電気機器３０１、３０２、３０３、３０４と、の接続関係を示す接続関係情報の入力を受け付ける。接続関係情報受付部１０７は、例えば、タッチスクリーン１６、宅内電気通信網インターフェース１７を備える。
【００７８】
ここで、重複電力特定部１０３は、接続関係情報受付部１０７により受け付けられた接続関係情報に基づいて、重複して計測された電力を特定する。
【００７９】
次に、図８を参照して、接続関係情報について説明する。
【００８０】
図８に示すように、接続関係情報は、電気機器３００と、この電気機器３００と接続された分岐ブレーカ４１０（この電気機器３００に電力を供給する分岐ブレーカ４１０）と、この電気機器３００の電力や電力量を計測することが可能な計測可能対象と、この電気機器３００の電力や電力量を計測する対象として採用した計測採用対象と、が相互に対応付けられた情報である。
【００８１】
図８は、電気機器３０１は、分岐ブレーカ４１１と接続されており、電気機器３０１（電力計測装置３１１）と分岐ブレーカ４１１との双方で電力や電力量の計測が可能であり、合計値の算出や表示の際に分岐ブレーカ４１１により計測された電力や電力量が採用されることを示している。また、図８は、電気機器３０２は、分岐ブレーカ４１２と接続されており、電気機器３０２（電力計測装置３１２）で電力や電力量の計測が可能であり、合計値の算出や表示の際に電気機器３０２（電力計測装置３１２）により計測された電力や電力量が採用されることを示している。
【００８２】
また、図８は、電気機器３０３は、分岐ブレーカ４１３と接続されており、電気機器３０３（電力計測装置３１３）と分岐ブレーカ４１３との双方で電力や電力量の計測が可能であり、合計値の算出や表示の際に分岐ブレーカ４１３により計測された電力や電力量が採用されることを示している。さらに、図８は、電気機器３０４は、分岐ブレーカ４１３と接続されており、分岐ブレーカ４１３で電力や電力量の計測が可能であり、合計値の算出や表示の際に分岐ブレーカ４１３により計測された電力や電力量が採用されることを示している。
【００８３】
なお、計測可能対象が電気機器３００と分岐ブレーカ４１０との両方であることは、重複して電力や電力量が計測されることを意味する。一方、計測可能対象が電気機器３００であることは、電気機器３００のみにより電力や電力量の計測が可能であり、分岐ブレーカ４１０による電力や電力量の計測が可能でないことを意味する。また、計測可能対象が分岐ブレーカ４１０であることは、分岐ブレーカ４１０のみにより電力や電力量の計測が可能であり、電気機器３００による電力や電力量の計測が可能でないことを意味する。
【００８４】
本実施形態では、接続関係情報は、電気機器３００と分岐ブレーカ４１０との接続関係を示すだけでなく、電気機器３００と計測可能対象との関係、電気機器３００と計測採用対象との関係をも示す情報である。
【００８５】
次に、図９に示すフローチャートを参照して、電力算出装置１２０が実行する電力算出処理について説明する。なお、電力算出装置１２０は、電源が投入されたことに応答して、図９に示す電力算出処理を開始する。
【００８６】
まず、ＣＰＵ１１は、接続関係情報を取得する（ステップＳ２０１）。例えば、ＣＰＵ１１は、タッチスクリーン１６を介して、ユーザから接続関係情報を取得する。あるいは、ＣＰＵ１１は、宅内電気通信網インターフェース１７を介して、宅内電気通信網６００に接続された端末装置２００や図示しないサーバ装置などから接続関係情報を取得してもよい。なお、ＣＰＵ１１は、取得した接続関係情報を、フラッシュメモリ１４に記憶することができる。
【００８７】
ＣＰＵ１１は、ステップＳ２０１の処理を完了すると、接続関係情報に基づいて、除外すべき電力情報を特定する（ステップＳ２０２）。例えば、ＣＰＵ１１は、計測可能対象として存在しながらも採用されなかった電気機器３００又は分岐ブレーカ４１０を計測対象とする計測により取得された電力情報を、除外すべき電力情報として特定する。図８に示す例の場合、例えば、ＣＰＵ１１は、電気機器３０１（電力計測装置３１１）により取得された電力情報と、電気機器３０３（電力計測装置３１３）により取得された電力情報とを、除外すべき電力情報として特定する。
【００８８】
ＣＰＵ１１は、ステップＳ２０２の処理を完了すると、電力計測の開始を指示する（ステップＳ２０３）。ＣＰＵ１１は、ステップＳ２０３の処理を完了すると、電力情報を取得する（ステップＳ２０４）。ＣＰＵ１１は、ステップＳ２０４の処理を完了すると、電力情報を保存する（ステップＳ２０５）。
【００８９】
ＣＰＵ１１は、ステップＳ２０５の処理を完了すると、除外すべき電力情報以外の電力情報を画面に表示する（ステップＳ２０６）。ＣＰＵ１１は、ステップＳ２０６の処理を完了すると、除外すべき電力情報以外の電力情報を集計する（ステップＳ２０７）。ＣＰＵ１１は、ステップＳ２０７の処理を完了すると、ステップＳ２０３に処理を戻す。
【００９０】
本実施形態によれば、接続関係情報に基づいて、重複して計測された電力や電力量が特定され、重複して計測された電力や電力量が除外されて、電力消費システム１１００により消費された電力や電力量が算出される。このため、本実施形態によれば、ユーザから、重複して計測された電力や電力量のうち、除外すべき電力や電力量の指定を受け付けることなく、電力消費システム１１００により消費された電力や電力量を適切に算出することができる。
【００９１】
（第３の実施形態）
第２の実施形態では、除外すべき電力情報を特定するための接続関係情報が、予め用意されている例について説明した。本発明において、接続関係情報は、予め用意されていなくてもよい。以下、第３の実施形態では、計測により取得された電力情報に基づいて、接続関係情報を生成する例について説明する。なお、以下では、基本的に、第３の実施形態に係る電力算出装置１４０が第２の実施形態に係る電力算出装置１２０と異なる部分について説明する。電力算出装置１４０は、物理的な構成に関しては、電力算出装置１２０と同様である。
【００９２】
図１０は、第３の実施形態に係る電力算出装置１４０の機能を説明するための図である。図１０に示すように、電力算出装置１４０は、接続関係情報受付部１０７に代えて接続関係情報生成部１０８を備える点などが、電力算出装置１２０と異なる。
【００９３】
接続関係情報生成部１０８は、第１電力計測部１０１により計測された電力と、第２電力計測部１０２により計測された電力と、に基づいて、少なくとも１つの分岐ブレーカ４１１、４１２、４１３と、少なくとも１つの電気機器３０１、３０２、３０３、３０４と、の接続関係を示す接続関係情報を生成する。接続関係情報生成部１０８は、例えば、ＣＰＵ１１を備える。
【００９４】
ここで、重複電力特定部１０３は、接続関係情報生成部１０８により生成された接続関係情報に基づいて、重複して計測された電力を特定する。
【００９５】
次に、図１１に示すフローチャートを参照して、電力算出装置１４０が実行する電力算出処理について説明する。なお、電力算出装置１４０は、電源が投入されたことに応答して、図１１に示す電力算出処理を開始する。
【００９６】
まず、ＣＰＵ１１は、電力計測の開始を指示する（ステップＳ３０１）。ＣＰＵ１１は、ステップＳ３０１の処理を完了すると、電力情報を取得する（ステップＳ３０２）。ＣＰＵ１１は、ステップＳ３０２の処理を完了すると、電力情報を保存する（ステップＳ３０３）。
【００９７】
ＣＰＵ１１は、ステップＳ３０３の処理を完了すると、接続関係情報を生成する（ステップＳ３０４）。なお、ＣＰＵ１１は、電気機器３０１、電気機器３０２、電気機器３０３、電力計測装置５００などから取得した電力情報に基づいて、接続関係情報を生成することができる。
【００９８】
例えば、電気機器３０１、電気機器３０２、電気機器３０３、電力計測装置５００などから取得した電力情報により、図６に示すような消費電力量情報が生成されたものとする。図６に示す例では、電気機器３０１を計測対象として計測された消費電力量（８２Ｗｈ）と、分岐ブレーカ４１１を計測対象として計測された消費電力量（７９Ｗｈ）とが、かなり近い値となっている。このため、ＣＰＵ１１は、電気機器３０１と分岐ブレーカ４１１とが接続されているものと推定して、接続関係情報を生成することができる。
【００９９】
また、電気機器３０３を計測対象として計測された消費電力量（４２Ｗｈ）と、分岐ブレーカ４１３を計測対象として計測された消費電力量（４３Ｗｈ）とが、かなり近い値となっている。このため、ＣＰＵ１１は、電気機器３０３と分岐ブレーカ４１３とが接続されているものと推定して、接続関係情報を生成することができる。なお、ＣＰＵ１１は、消費電力量の瞬間値を比較するだけでなく、所定期間における消費電力量の変動値を比較することにより、電気機器３００と分岐ブレーカ４１０との接続関係を、精度よく推定することができる。
【０１００】
なお、比較対象となる２つの消費電力量がどの程度の範囲収まっている場合に、この２つの消費電力量が同じ対象に対する計測結果であると判別するのかは、適宜、調整することができる。例えば、２つの消費電力量の差の閾値を、いずれか一方の消費電力量に対する所定の割合にすることで、ある程度の計測誤差がある場合でも、誤判定をなくすことが期待できる。この計測誤差は、電気機器３００に内蔵された電力計測装置の性能や、電力計測装置５００の性能などを考慮して、適宜、推定することができる。
【０１０１】
なお、１つの分岐ブレーカ４１０に、複数の電気機器３００が接続されることがある。この場合、ＣＰＵ１１は、この１つの分岐ブレーカ４１０を計測対象として計測された消費電力量と、この複数の電気機器３００のそれぞれを計測対象として計測された消費電力量の合計値と、が近い値である場合、この１つの分岐ブレーカ４１０に、この複数の電気機器３００が接続されていると推定することができる。
【０１０２】
ＣＰＵ１１は、ステップＳ３０４の処理を完了すると、接続関係情報に基づいて、除外すべき電力情報を特定する（ステップＳ３０５）。ＣＰＵ１１は、ステップＳ３０５の処理を完了すると、除外すべき電力情報以外の電力情報を画面に表示する（ステップＳ３０６）。ＣＰＵ１１は、ステップＳ３０６の処理を完了すると、除外すべき電力情報以外の電力情報を集計する（ステップＳ３０７）。ＣＰＵ１１は、ステップＳ３０７の処理を完了すると、ステップＳ３０３に処理を戻す。
【０１０３】
本実施形態によれば、計測により取得された電力情報に基づいて生成された接続関係情報に基づいて、重複して計測された電力や電力量が除外されて、電力消費システム１１００により消費された電力や電力量が算出される。このため、本実施形態によれば、ユーザなどから、除外すべき電力や電力量を特定するための接続関係情報を受け付けることなく、電力消費システム１１００により消費された電力や電力量を自動で適切に算出することができる。例えば、ユーザが、電気機器３００と分岐ブレーカ４１０との接続関係を把握していない場合であっても、電力消費システム１１００により消費された電力や電力量を自動で適切に算出することができる。
【０１０４】
（変形例）
以上、本発明の実施形態を説明したが、本発明を実施するにあたっては、種々の形態による変形及び応用が可能である。
【０１０５】
本発明において、上記実施形態において説明した構成、機能、動作のどの部分を採用するのかは任意である。また、本発明において、上述した構成、機能、動作のほか、更なる構成、機能、動作が採用されてもよい。
【０１０６】
例えば、電力算出装置１４０は、接続関係情報生成部１０８のほか、さらに、接続関係情報受付部１０７を備えていてもよい。この場合、重複電力特定部１０３は、例えば、接続関係情報受付部１０７により受け付けられた接続関係情報と、接続関係情報生成部１０８により生成された接続関係情報と、の双方に基づいて、重複電力を特定することができる。例えば、接続関係情報受付部１０７により受け付けられた接続関係情報が、電気機器３００と分岐ブレーカ４１０との全ての接続関係を示しておらず、接続関係情報生成部１０８により生成された接続関係情報が、電気機器３００と分岐ブレーカ４１０との全ての接続関係を示していない場合に、このような構成が特に有効である。
【０１０７】
第１の実施形態では、基本的に、電力算出システム１０００とユーザとのユーザインターフェースが、電力算出装置１００である例について説明した。本発明において、例えば、電力算出システム１０００とユーザとのユーザインターフェースが、端末装置２００などであってもよい。この場合、例えば、電力算出装置１００が備えるタッチスクリーン１６に代えて、端末装置２００が備えるタッチスクリーンが、電力算出システム１０００とユーザとのユーザインターフェースとなる。また、この場合、電力算出装置１００が備える宅内電気通信網インターフェース１７と、端末装置２００が備える宅内電気通信網インターフェースと、の間で、適宜、情報が送受信される。
【０１０８】
第３の実施形態では、ステップＳ３０４において、重複して計測された電力や電力量が存在することを前提として、無条件に、接続関係情報が生成される例について説明した。本発明において、重複して計測された電力や電力量が存在しないことが判明している場合、接続関係情報を生成する処理（ステップＳ３０４）や、接続関係情報に基づいて除外すべき電力情報を特定する処理（ステップＳ３０５）が実行されなくてもよい。例えば、電気機器３００を計測対象として計測された電力や電力量と、分岐ブレーカ４１０を計測対象として計測された電力や電力量と、の和と、主幹ブレーカ４００を計測対象として計測された電力や電力量と、の差が、所定の閾値以下である場合、重複して計測された電力や電力量が存在しないと判別することができる。
【０１０９】
第１の実施形態では、ユーザに提示される画面が、消費電力量を示すグラフを示す画面である例について説明した。本発明において、ユーザに提示される画面は、この例に限定されない。例えば、ユーザに提示される画面は、電力を示すグラフであってもよいし、電力や電力量を示す数値であってもよい。
【０１１０】
本発明に係る電力算出装置１００、１２０、１４０の動作を規定する動作プログラムを既存のパーソナルコンピュータや情報端末装置に適用することで、当該パーソナルコンピュータ等を本発明に係る電力算出装置１００、１２０、１４０として機能させることも可能である。
【０１１１】
また、このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【０１１２】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【０１１３】
本発明は、分岐ブレーカから供給された電力を消費する電気機器を備える電力消費システムにより消費される電力を算出する電力算出システムに適用可能である。
【符号の説明】
【０１１４】
１１  ＣＰＵ、１２  ＲＯＭ、１３  ＲＡＭ、１４  フラッシュメモリ、１５  ＲＴＣ、１６  タッチスクリーン、１７  宅内電気通信網インターフェース、１００、１２０、１４０  電力算出装置、１０１  第１電力計測部、１０２  第２電力計測部、１０３  重複電力特定部、１０４  電力算出部、１０５  画面表示部、１０６  重複電力指定情報受付部、１０７  接続関係情報受付部、１０８  接続関係情報生成部、２００  端末装置、３００、３０１、３０２、３０３、３０４  電気機器、３１１、３１２、３１３  電力計測装置、４００  主幹ブレーカ、４１０、４１１、４１２、４１３  分岐ブレーカ、５００  電力計測装置、５０１、５１１、５１３  電流電圧検出部、６００  宅内電気通信網、１０００  電力算出システム、１１００  電力消費システム
【図１】
0005839366.tif 000002
【図２】
0005839366.tif 000003
【図３】
0005839366.tif 000004
【図４】
0005839366.tif 000005
【図５】
0005839366.tif 000006
【図６】
0005839366.tif 000007
【図７】
0005839366.tif 000008
【図８】
0005839366.tif 000009
【図９】
0005839366.tif 000010
【図１０】
0005839366.tif 000011
【図１１】
0005839366.tif 000012